(57)【要約】      （修正有）【課題】マルチキャビティプラント照明LED封止パッケージ構造を提供する。【解決手段】異なる波長の光線を発出する多くの発光ユニット２０、各発光ユニットを支持し電気接続する金属ブラケット１０と各発光ユニットをそれぞれに収容する多くのカップボウルを含み、各カップボウルは金属ブラケットに設置しており、各発光ユニット、そして相応のカップボウルに設置されている最低一つのLEDチップは、LEDチップの二ポールをそれぞれ金属ブラケットと接続した金線とカップボウルに塗りつぶされている封止グルー２３と接続させる。異なる波長の多くの発光ユニットを設置し、各発光ユニットを金属ブラケットに設置すると同時に、各発光ユニットを設置するための金属ブラケットにいくつかのカップボウルを設置する。多種の発光ユニットを一つの封止パッケージ構造に集合させる。【選択図】図１
2019029646.tif 000002
【特許請求の範囲】
【請求項１】
マルチキャビティプラント照明LED封止パッケージ構造であって、異なる波長の光線を発出する多くの発光ユニット、各発光ユニットを支持し電気接続する金属ブラケットと各発光ユニットをそれぞれに収容する多くのカップボウルを含み、各カップボウルは金属ブラケットに設置しており、各発光ユニット、そして相応のカップボウルに設置されている最低一つのLEDチップは、LEDチップの二ポールをそれぞれ金属ブラケットと接続した金線とカップボウルに塗りつぶされている封止グルーと接続させ、金属ブラケットはそれぞれ各発光ユニットと電気接続するLEDチップのポールの多くの第一ポールフィルムと各発光ユニットと電気接続するLEDチップの他の一つのポールの第二ポールフィルムを含み、各第一ポールフィルムと第二ポールフィルムが仕切り、任意の二つの第一ポールフィルムが仕切り、各第一ポールフィルムが相応するカップボウルに延在し、多くの第一ポールフィルムが順番に第二ポールフィルムの一側に設置され、隣接する二つの第一ポールフィルムは一つのポールフィルムはT型であり、T型第一ポールフィルムは、第二ポールフィルムに伸びているT型ヘッドとT型ヘッドと接続しているテール部を備えており、第二ポールフィルムには対応的にT型ヘッドを設置するためのT型スロットを設置しており、T型第一ポールフィルムと隣接した二つの第一ポールフィルムは長方形となり、二つの長方形第一ポールフィルムはそれぞれテール部の二側に設置しており、金属ブラケットは、銅片のスタンピングで作られており、銅片には金属保護層をメッキしており、金属保護層の外部には、溶接および光を反射するための金属層を電気メッキしており、金属保護層は、ニッケル層であり、金属層は銀層であり、多くの発光ユニットのLEDチップが発する光の波長が違い、各LEDチップはブルーレイチップで、相応する封止グルーがブルーレイチップと係合し指定する光線を発する蛍光グルーで、多くの発光ユニットの蛍光グルーが違い、金属ブラケットに各LEDチップと対応する位置にこのLEDチップを接着するボンディンググルー層が設置され、金属ブラケットに各カップボウルと接続する接続ブロックが設置され、接続ブロックが金属ブラケットの各カップボウルの外の区域をカバーし、各カップボウルと接続ブロックが一体に成形されることを特徴とするマルチキャビティプラント照明LED封止パッケージ構造。
【発明の詳細な説明】
【技術分野】
【０００１】
本発明は植物照明装置分野に属し、より具体的に言えば、一種のマルチキャビティプラント照明LED封止パッケージ構造に関する。
【背景技術】
【０００２】
LED（Light Emitting Diode、日本語名：発光ダイオード ）は、都市化の建設に伴い、室内の植物栽培への利用が増えてきている。それとともに、植物照明が勢いよく現れてきた。植物照明の際、異なる波長の光源が必要である。それゆえ、異なる光に対する要求を満たすために、現在は一般的に多種のLEDライトを用いて植物照明を行っている。しかし、LEDライトが多く、大きくなり、それと同時に、各種類のライトは単独な制御構造が必要とされ、コストが高いという問題がある。
【先行技術文献】
【特許文献】
【０００３】
【特許文献１】中国実用新案第205946827号明細書
【特許文献２】中国実用新案第205071751号明細書
【発明の概要】
【発明が解決しようとする課題】
【０００４】
本発明の目的は、一種のマルチキャビティプラント照明LED封止パッケージ構造を提供することにあり、植物照明LEDライト体積が大きく、コストが高いという従来技術に存在する問題を解決することにある。
【課題を解決するための手段】
【０００５】
上記の目的を実現するため、本発明に係る技術方案は、一種のマルチキャビティプラント照明LED封止パッケージ構造を提供し、異なる波長の光線を発出する多くの発光ユニット、各発光ユニットを支持し電気接続する金属ブラケットと各発光ユニットをそれぞれに収容する多くのカップボウルを含み、各カップボウルは金属ブラケットに設置しており、各発光ユニット、そして相応のカップボウルに設置されている最低一つのLEDチップは、LEDチップの二ポールをそれぞれ金属ブラケットと接続した金線とカップボウルに塗りつぶされている封止グルーと接続させる。
【０００６】
さらに、金属ブラケットはそれぞれ各発光ユニットと電気接続するLEDチップのポールの多くの第一ポールフィルムと各発光ユニットと電気接続するLEDチップの他の一つのポールの第二ポールフィルムを含み、各第一ポールフィルムと第二ポールフィルムが仕切り、任意の二つの第一ポールフィルムが仕切り、各第一ポールフィルムが相応するカップボウルに延在する。
【０００７】
さらに、多くの第一ポールフィルムが順番に第二ポールフィルムの一側に設置され、隣接する二つの第一ポールフィルムは一つのポールフィルムはT型である。T型第一ポールフィルムは、第二ポールフィルムに伸びているT型ヘッドとT型ヘッドと接続しているテール部を備えている。第二ポールフィルムには対応的にT型ヘッドを設置するためのT型スロットを設置している。T型第一ポールフィルムと隣接した二つの第一ポールフィルムは長方形となり、そして、二つの長方形第一ポールフィルムはそれぞれテール部の二側に設置している。
【０００８】
さらに、金属ブラケットは銅片のスタンピングで作られている。銅片には金属保護層をメッキしており、金属保護層の外部には、溶接および光を反射するための金属層を電気メッキしている。
【０００９】
それに金属保護層は、ニッケル層である。
【００１０】
さらに、金属層は銀層である。
【００１１】
さらに、多くの発光ユニットのLEDチップが発する光の波長が違う。
【００１２】
さらに、各LEDチップはブルーレイチップで、相応する封止グルーがブルーレイチップと係合し指定する光線を発する蛍光グルーで、多くの発光ユニットの蛍光グルーが違う。
【００１３】
さらに、金属ブラケットに各LEDチップと対応する位置にこのLEDチップを接着するボンディンググルー層が設置される。
【００１４】
さらに、金属ブラケットに各カップボウルと接続する接続ブロックが設置され、接続ブロックが金属ブラケットの各カップボウルの外の区域をカバーし、各カップボウルと接続ブロックが一体に成形される。
【発明の効果】
【００１５】
本発明が提供したマルチキャビティプラント照明LED封止パッケージ構造の有益な効果は、従来の技術と比べ、異なる波長の多くの発光ユニットを設置し、各発光ユニットを金属ブラケットに設置すると同時に、各発光ユニットを設置するための金属ブラケットにいくつかのカップボウルを設置する。したがって、多種の発光ユニットを一つの封止パッケージ構造に集合させるため、体積は小さい。各発光ユニットのLEDチップを金属ブラケットと電気的に接続させることにより、金属ブラケットを通して各発光ユニットを制御でき、柔軟的に制御し、回路統合設定の制御を容易にし、コストを軽減する。
【００１６】
本発明の実施例の中の技術方案をもっとはっきりと説明するため、下記に実施例また既存の技術説明を図面を用いて簡単に紹介する。一目でわかることは下記の説明の中の図面はただ本発明のいくつかの実施例で、本分野の普通の技術者にとって、創造的な労働を払わない前提に、これらの図面に基づいてその他の図面を得ることができる。
【図面の簡単な説明】
【００１７】
【図１】図１は本発明実施例が提供したマルチキャビティプラント照明LED封止パッケージ構造の構造図である。
【図２】図２は図１のマルチキャビティプラント照明LED封止パッケージ構造の斜視図である。
【図３】図３は図２の中の金属ブラケットの構造図である。
【図４】図４は図３の金属ブラケットにLEDチップを設置する際の構造図である。
【００１８】
【発明を実施するための形態】
【００１９】
図面の中の主な符号について、100-マルチキャビティプラント照明LED封止パッケージ構造；10-金属ブラケット；11-第一ポールフィルム；111-長方形第一ポールフィルム；112-T型第一ポールフィルム；1121-T型ヘッド；1122-テール部；12-第二ポールフィルム；121-T型スロット；20-発光ユニット；21-LEDチップ；22-金線；23-封止グルー；31-カップボウル；32-接続ブロックである。
【００２０】
本発明が解決する技術問題と、技術方案及び有益な効果をより明白に説明するために、以下には、図面と実施例と共に、本発明についてより詳しく説明していく。注意しておきたいことは、ここで書いてある具体的な実施例は、本発明のみについて説明するが、本発明に限られないのである。
【００２１】
事前に説明しておけば良いことは、あるコンポーネントは別のコンポーネントに「固定」され、「設置」されると称されれば、それはその別のコンポーネントに、あるいは間接的に別のコンポーネントにあるということである。あるコンポーネントは別のコンポーネントと接続されると称されれば、それは直接あるいは間接に別のコンポーネントと接続しているということである。
【００２２】
それ以外には、「第一」、「第二」は目的のみを説明し、相対的に重要性の表示や暗示、または技術特徴の数量が隠れている説明と理解することはできない。それゆえ、「第一」、「第二」を限定している特徴は、一つあるいはより多い特徴を含まれる明示や暗示である可能性がある。本発明の説明の中で、別の明確的に規定がなければ、「多くの」の意味は、二つか二つ以上という意味である。
【００２３】
本発明の記述の中で、先に理解して良いなのは、「中心」、「長さ」、「広さ」、「厚さ」、「上」、「下」、「前」、「後」、「左」、「右」、「垂直」、「水平」、「トップ」、「底」、「内」、「外」等が指す方向や位置関係は、図により表される方位や位置関係であり、本発明を説明し、説明を簡潔化するためである。装置かコンポーネントが必ず備える特定の方位や、特定な方位構造や操作で利用することなどを指す、または暗示することではない。従って、それらは本発明に対する制限ではない。
【００２４】
本発明の説明の中、注意しておきたいのは、明確な規定や限定がない限り、「設置」、「接続」は広義的に理解されることである。例えば、固定接続や、着脱可能な接続、または一体的な接続である可能性がある。機械的な接続や電気的な接続である可能性がある。直接的な接続や中間媒介体による間接的な接続、あるいは二つのコンポーネント内部の繋がりや二つのコンポーネントの相互作用関係である可能性もある。本分野の一般の技術者に対しては、具体的な状況により、上述の用語が本発明での具体的な意味を理解した方が良い。
【００２５】
図１と図２を一緒にご参照し、本発明のマルチキャビティプラント照明LED封止パッケージ構造１００について説明していく。マルチキャビティプラント照明LED封止パッケージ構造１００は、多くの発光ユニット２０、金属ブラケット１０と多くのカップボウル３１から構成されている。植物が異なる波長の光の照明に対する要求を満たすために、多くの発光ユニット２０は異なる波長の光線を発出する。カップボウル３１は発光ユニット２０とそれぞれ相応することで、多くのカップボウル３１をそれぞれ各発光ユニット２０に設置させる。さらに、カップボウル３１は一定の反射機能を持っており、発光ユニット２０の出光率を高める。各発光ユニットは金属ブラケット１０に設置しており、金属ブラケット１０と電気的に接続している。金属ブラケット１０を通じて各発光ユニット２０をサポートしており、各金属ブラケット１０を通じて各発光ユニット２０を制御している。各カップボウル３１は金属ブラケット１０に設置しており、金属ブラケット１０を用いて各発光ユニットを冷却することができる。各発光ユニット２０、そして相応のカップボウル３１に設置されている最低一つのLEDチップ２１は、LEDチップ２１の二ポールをそれぞれ金属ブラケット１０と接続した金線２２、カップボウル３１に塗りつぶされている封止グルー２３と接続させる。金線２２を用い、LEDチップ２１の二ポールをそれぞれ金属ブラケット１０と接続させ、したがって、発光ユニット２０を金属ブラケット１０と電気的に接続させる。封止グルー２３を相応のカップボウル３１に塗りつぶされ、相応のLEDチップと金線２２を固定化し封止し、発光ユニット２０を形成する。
【００２６】
本発明が提供したマルチキャビティプラント照明LED封止パッケージ構造１００は、従来の技術と比べ、異なる波長の多くの発光ユニット２０を設置し、各発光ユニット２０を金属ブラケット１０に設置すると同時に、各発光ユニット２０を設置するための金属ブラケット１０にいくつかのカップボウル３１を設置する。したがって、多種の発光ユニット２０を一つの封止パッケージ構造に集合させるため、体積は小さい。各発光ユニット２０のLEDチップ２１を金属ブラケット１０と電気的に接続させることにより、金属ブラケット１０を通して各発光ユニット２０を制御でき、柔軟的に制御し、回路統合設定の制御を容易にし、コストを軽減する。
【００２７】
さらに、図２〜図４を一緒にご参照し、本発明が提供したマルチキャビティプラント照明LED封止パッケージ構造１００の一種の具体的な実施方法として、金属ブラケット１０は第一ポールフィルム１１と第二ポールフィルム１２を包含しており、第一ポールフィルム１１は多数あり、各第一ポールフィルム１１と第二ポールフィルム１２から隔てられ、二つの第一ポールフィルム１１は互いに隔てられており、各第一ポールフィルム１１は相応のカップボウル３１に伸びている。多くの第一ポールフィルム１１はそれぞれ発光ユニット２０のLEDチップ２１の一ポールと接続しており、第二ポールフィルム１２は各発光ユニット２０のLEDチップ２１の別のポールと接続している。したがって、第一ポールフィルム１１と相応の第二ポールフィルム１２の間の接続や切断、または電流量をコントロールすることによって、相応の発光ユニット２０のスイッチや明度をコントロールし、単独的に発光ユニット２０の動作をコントロールすることができる。
【００２８】
具体的には、第二ポールフィルム１２を各発光ユニット２０のLEDチップ２１の負極と電気的に接続することによって、各発光ユニット２０のLEDチップ２１の正極と相応の第一ポールフィルム11と電気的に接続することができる。確かに、その他の実施例においては、第二ポールフィルム１２を各発光ユニット２０のLEDチップ２１の正極と電気的に接続することで、各発光ユニット２０のLEDチップ２１の負極を相応の第一ポールフィルム１１と電気的に接続することができる。
【００２９】
さらに、図２−図４を一緒にご参照し、本発明が提供するマルチキャビティプラント照明LED封止パッケージ構造100の一種の具体的な実施方式として、第一ポールフィルム１１は順番に第二ポールフィルム１２の一側に設置している。隣接した二つの第一ポールフィルム１１の中には、一つのポールフィルムはT型である。T型第一ポールフィルム１１２は、第二ポールフィルム１２に伸びているT型ヘッド１１２１とT型ヘッドと接続しているテール部１１２２を備えている。第二ポールフィルム１２には対応的にT型ヘッド１１２１を設置するためのT型スロット１２１を設置している。T型第一ポールフィルム１１２と隣接した二つの第一ポールフィルム１１は長方形となり、そして、二つの長方形第一ポールフィルム１１１はそれぞれテール部１１２２の二側に設置している。
【００３０】
本構造は金属ブラケット１０の利用率を高め、集合化を向上するため、本マルチキャビティプラント照明LED封止パッケージ構造１００の体積をより小さくすることができる。それと同時に、本構造は産業化大量生産にも適切しており、要求に従い、多数の発光ユニット２０を形成することができるため、これらの発光ユニット２０を同じ第二ポールフィルム１２を使用させ、加工制作しやすくなる。さらに、T型第一ポールフィルム１１２を設置し、T型第一ポールフィルム１１２のT型ヘッド１１２１を第二ポールフィルム１２のT型スロット１２１に伸びさせ、第二ポールフィルム１２と近くにあるT型ヘッド１１２１の長さをより長くすることができると同時に、T型ヘッド１１２１の面積をより広く設置し、多くのLEDチップ２１を設置することができ、効率を高める。
【００３１】
さらに、T型第一ポールフィルム１１２のテール部１１２２の広さは、隣の長方形第一ポールフィルム１１の広さより短いため、本金属ブラケット１０の面積をより小さくし、集合度をより高くできる。
【００３２】
本実施例においては、第一ポールフィルム１１は三つあり、一つT型ポールフィルム１１２、T型第一ポールフィルム１１２のテール部にある１１２２の二側の二つの長方形第一ポールフィルム１２である。しかし、第二ポールフィルム１８は一つであり、第二ポールフィルム１２のT型第一ポールフィルム１１２のT型ヘッド１１２１と対応した位置には、T型スロット１２１を設置している。本構造の第一ポールフィルム１１と第二ポールフィルム１２の近くと対応した位置には、それぞれ発光ユニット２０を設置している。さらに、三つの異なる波長の光線を発出するために、三つの発光ユニット２０を設置することができる。さらに、T型ヘッド１１２１には多くのLEDチップ２１を設置しており、効率を高める。他の実施例には、棒状の金属ブラケット１０を形成するために、T型第一ポールフィルム１１２と長方形第一ポールフィルム１１１と交換設置する。それによって、より多くの発光ユニット２０を封止するために、封止パッケージ構造は棒状となる。
【００３３】
さらに、図２〜図４を一緒にご参照し、本発明が提供するマルチキャビティプラント照明LED封止パッケージ構造100の一種の具体的な実施方式として金属ブラケットは、銅片のスタンピングで作られており、加工制作しやすくなり、冷却と導電を容易にできる。
【００３４】
もっと更には銅片には金属保護層をメッキしており、金属保護層の外部には溶接および光を反射するための金属層を電気メッキしている。銅片に金属保護層をメッキすることで、銅片を保護することができる。金属保護層に金属層を電気メッキすることで、金線２２を溶接しやすくなり、さらにLEDチップ２１と電気的に接続できると同時に、金属層は光線を反射することにより、LEDチップ２１が発生した光をよりよく反射し、出光率を高める。
【００３５】
具体的には、金属保護層は、ニッケル層である。銅片を保護し、銅イオンの放出を防ぐ。他のいくつかの実施例においては、他の金属を用い保護層をすることもできる。
【００３６】
具体的には、金属層は銀層である。銀層を使用することにより、反射率を高め、よりよく光を反射すると同時に、金線２２を溶接しやすくする。他の実施例では、他の金属で金属層を作ることもできる。
【００３７】
さらに、図２〜図４を一緒にご参照し、本発明が提供するマルチキャビティプラント照明LED封止パッケージ構造100の一種の具体的な実施方式として多くの発光ユニット２０のLEDチップ２１が発生した光線の波長は様々である。
【００３８】
異なる波長を発出するLEDチップ２１を使用することで、各発光ユニット２０が直接に異なる波長の光線を発出することができ、植物照明の要求を満たす。対応的に、本構造は同種類の封止グルー２３を用い封止パッケージを行い、封止グルー２３の選択や使用を容易にすることができる。
【００３９】
さらに、図２〜図４を一緒にご参照し、本発明が提供するマルチキャビティプラント照明LED封止パッケージ構造100の一種の具体的な実施方式として各LEDチップ２１はブルーレイチップであり、相応的に、封止グルー２３は、ブルーレイチップが特定の光線を発出するための蛍光グルーである。多くの発光ユニット２０の蛍光グルーは異なっている。
【００４０】
蛍光グルーは、蛍光粉を混ぜているグルーであり、異なる比率と種類の蛍光粉がブルーレイの作用の下、異なる光を発出することができる。したがって、異なる蛍光グルーを使用することにより、多くの発光ユニット２０を異なる光線を発出させることができる。それ以外に、蛍光グルーはカップボウル３１に塗りつぶすことで、カップボウル３１の中のLEDチップ２１、そして金線２２を保護することができる。
【００４１】
さらに、図２〜図４を一緒にご参照し、本発明が提供するマルチキャビティプラント照明LED封止パッケージ構造100の一種の具体的な実施方式として金属ブラケット１０での各LEDチップ２１と対応した位置には、LEDチップ２１を粘着する固体結晶層を設置している。
【００４２】
さらに、図２〜図４を一緒にご参照し、本発明が提供するマルチキャビティプラント照明LED封止パッケージ構造100の一種の具体的な実施方式として固体結晶層を設置することにより、各LEDチップ２１を金属ブラケット１０に固定設置することができ、伝熱することができる。
【００４３】
金属ブラケット１０には、各カップボウル３１を接続する接続ブロック３２を設置している。接続ブロック３２は金属ブラケット１０上の各カップボウル３１以外の域をカバーしている。各カップボウル３１と接続ブロック３２は一体形となる。
【００４４】
各カップボウル３１と接続する接続ブロック３２を設置することにより、各カップボウル３１をより良く金属ブラケット１０に設置することができる。接続ブロック３２が金属ブラケット１０上の各カップボウル３１以外の域をカバーすることで、各カップボウル３１と接続ブロック３２は一体形となり、加工制作しやすくなり、強度を向上させる。確かに、他のいくつかの実施例では、各カップボウル３１を単独に設置することもできる。
【００４５】
更には、金属ブラケット１０に接続ブロック３２を設置し、接続ブロック３２に相応の設置キャビティを設置することにより、相応のカップボウル３１を形成させ、加工しやすくなると同時に、各第一ポールフィルム１１と第二第一ポールフィルムと固定接続させる。
【００４６】
さらに、本発明が提供したマルチキャビティプラント照明LED封止パッケージ構造１００の一種の具体的な実施方法として、カップボウル３１はPPAあるいはPCTを用い、金型で熱成形させ、加工制作しやすくなると同時に、良いシーリング性と耐熱性を備えている。
【００４７】
PCTはポリ1、4-シクロヘキシレンジメチレンテレフタレートの略称であり、ポリシクロヘキシレンテレフタレートジメタクリレート樹脂11とも呼ばれる。PPAはポリ-p-フェニレンテレフタルアミドの略称である。
【００４８】
以上に述べたのは本発明のより良い実施例で、本発明を制限することに用いない、本発明の意義と原則のもとで行う全部の修正、同等取替と改善が本発明の保護範囲にある。
【図１】
2019029646.tif 000003
【図２】
2019029646.tif 000004
【図３】
2019029646.tif 000005
【図４】
2019029646.tif 000006
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
マルチキャビティプラント照明LED封止パッケージ構造であって、異なる波長の光線を発出する少なくとも一つの発光ユニット、各発光ユニットを支持し電気接続する金属ブラケットと各発光ユニットをそれぞれに収容する少なくとも一つのカップボウルを含み、各カップボウルは前記金属ブラケットに設置しており、各発光ユニット、そして相応のカップボウルに設置されている最低一つのLEDチップは、LEDチップの二ポールをそれぞれ前記金属ブラケットと接続した金線とカップボウルに塗りつぶされている封止グルーと接続させ、前記金属ブラケットはそれぞれ各発光ユニットと電気接続するLEDチップのポールの少なくとも一つの第一ポールフィルムと各発光ユニットと電気接続するLEDチップの他の一つのポールの第二ポールフィルムを含み、各第一ポールフィルムと第二ポールフィルムが仕切り、任意の二つの第一ポールフィルムが仕切り、各第一ポールフィルムが相応するカップボウルに延在し、少なくとも一つの第一ポールフィルムが順番に第二ポールフィルムの一側に設置され、隣接する二つの第一ポールフィルムの中に一つのポールフィルムがＴ型であり、T型第一ポールフィルムは、第二ポールフィルムに伸びているT型ヘッドとT型ヘッドと接続しているテール部を備えており、第二ポールフィルムには対応的にT型ヘッドを設置するためのT型スロットを設置しており、T型第一ポールフィルムと隣接した二つの第一ポールフィルムは長方形となり、二つの長方形第一ポールフィルムはそれぞれテール部の両側に設置しており、前記金属ブラケットは、銅片のスタンピングで作られており、銅片には金属保護層をメッキしており、金属保護層の外部には、溶接および光を反射するための金属層を電気メッキしており、金属保護層は、ニッケル層であり、金属層は銀層であり、少なくとも一つの発光ユニットのLEDチップが発する光の波長が違い、各LEDチップはブルーレイチップで、相応する封止グルーがブルーレイチップと係合し指定する光線を発する蛍光グルーで、少なくとも一つの発光ユニットの蛍光グルーが違い、前記金属ブラケットに各LEDチップと対応する位置にこのLEDチップを接着するボンディンググルー層が設置され、前記金属ブラケットに各カップボウルと接続する接続ブロックが設置され、接続ブロックが前記金属ブラケットの各カップボウルの外の区域をカバーし、各カップボウルと接続ブロックが一体に成形されることを特徴とするマルチキャビティプラント照明LED封止パッケージ構造。
【手続補正書】
【提出日】平成30年9月8日(2018.9.8)
【手続補正１】
【補正対象書類名】特許請求の範囲
【補正対象項目名】全文
【補正方法】変更
【補正の内容】
【特許請求の範囲】
【請求項１】
マルチキャビティプラント照明LED封止パッケージ構造であって、前記マルチキャビティプラント照明LED封止パッケージ構造が、異なる波長の光線を発出する少なくとも一つの発光ユニットと、各発光ユニットを支持し、各発光ユニットと電気接続する金属ブラケットと、各発光ユニットを設定する少なくとも一つのカップボウルと、を含み、各カップボウルは前記金属ブラケットに設置しており、各発光ユニットは、対応の前記カップボルトの中に設置されている少なくとも一つのLEDチップと、前記LEDチップの二ポールをそれぞれ前記金属ブラケットと接続した金線と、前記カップボルトに塗りつぶされている封止グルーを含み、前記金属ブラケットは、ぞれぞれ各前記発光ユニットの前記LEDチップの異なるポールと電気接続する多くの第一ポールフィルムと第二ポールフィルムを含み、第一ポールフィルムは、第二ポールフィルムによって仕切られるT型第一ポールフィルムと、前記T型第一ポールフィルムを仕切り、前記T型第一ポールフィルムと隣接した二つの第一ポールフィルムと、を含み、各第一ポールフィルムは相応するカップボウルに延在し、前記T型第一ポールフィルム及び前記T型第一ポールフィルムと隣接した二つの第一ポールフィルムが順番に前記第二ポールフィルムの一側に設置され、前記T型第一ポールフィルムは、前記第二ポールフィルムに伸びているT型ヘッドと前記T型ヘッドと接続しているテール部を備えており、前記第二ポールフィルムは、前記T型ヘッドを設置するためのT型スロットを有し、前記T型第一ポールフィルムと隣接した二つの第一ポールフィルムは長方形であり、二つの長方形第一ポールフィルムはそれぞれ前記テール部の両側に設置され、前記金属ブラケットは、銅片のスタンピングで作られており、前記銅片には金属保護層をメッキしており、前記金属保護層の外部には、光を反射するための金属層を電気メッキしており、前記金属保護層は、ニッケル層であり、前記金属層は銀層であり、少なくとも一つの発光ユニットのLEDチップが発する光の波長が違い、各LEDチップはブルーレイチップで、相応する封止グルーがブルーレイチップと係合し指定する光線を発する蛍光グルーで、少なくとも一つの発光ユニットの蛍光グルーが違い、前記金属ブラケットに各LEDチップと対応する位置にこのLEDチップを接着するボンディンググルー層が設置され、前記金属ブラケットに各カップボウルと接続する接続ブロックが設置され、前記接続ブロックが前記金属ブラケットの各カップボウルの外の区域をカバーし、各カップボウルと前記接続ブロックが一体に成形されることを特徴とするマルチキャビティプラント照明LED封止パッケージ構造。
【手続補正２】
【補正対象書類名】明細書
【補正対象項目名】００２５
【補正方法】変更
【補正の内容】
【００２５】
図１と図２を一緒にご参照し、本発明のマルチキャビティプラント照明LED封止パッケージ構造１００について説明していく。マルチキャビティプラント照明LED封止パッケージ構造１００は、多くの発光ユニット２０、金属ブラケット１０と多くのカップボウル３１から構成されている。植物が異なる波長の光の照明に対する要求を満たすために、多くの発光ユニット２０は異なる波長の光線を発出する。カップボウル３１は発光ユニット２０とそれぞれ相応することで、多くのカップボウル３１にそれぞれ各発光ユニット２０を設置する。さらに、カップボウル３１は一定の反射機能を持っており、発光ユニット２０の出光率を高める。各発光ユニットは金属ブラケット１０に設置しており、金属ブラケット１０と電気的に接続している。金属ブラケット１０を通じて各発光ユニット２０をサポートしており、各金属ブラケット１０を通じて各発光ユニット２０を制御している。各カップボウル３１は金属ブラケット１０に設置しており、金属ブラケット１０を用いて各発光ユニットを冷却することができる。各発光ユニット２０、そして相応のカップボウル３１に設置されている最低一つのLEDチップ２１は、LEDチップ２１の二ポールをそれぞれ金属ブラケット１０と接続した金線２２、カップボウル３１に塗りつぶされている封止グルー２３と接続させる。金線２２を用い、LEDチップ２１の二ポールをそれぞれ金属ブラケット１０と接続させ、したがって、発光ユニット２０を金属ブラケット１０と電気的に接続させる。封止グルー２３を相応のカップボウル３１に塗りつぶされ、相応のLEDチップと金線２２を固定化し封止し、発光ユニット２０を形成する。